(57)【要約】      （修正有）【課題】ショックアブソーバの損傷を防止するランヤードを提供する。【解決手段】ランヤード１００は、長さ調整部２を有する本体ベルト１と、本体ベルト１の一端に設けたショックアブソーバ３と、本体ベルト１及びショックアブソーバ３を保護するカバー４とを有する。カバー４は、本体ベルト１を挿通する筒状部と、ショックアブソーバ３を包むための平面部とから構成される。平面部は、略矩形であり横幅はショックアブソーバ３を包むのに十分なる寸法とする。横端縁には、ベルト体が２つ設けられその先端にホックが設けられる。ホックは、対向する横端縁にも設けられる。カバー４があることから本体ベルト１が損傷することがない。また、雨が降っても日カン６が濡れないので、ベルトが滑って長さが変わってしまうことがない。更に、カバー４によりショックアブソーバ３が保護されているので、損傷を防止できると共に落下時のショックアブソーバ３の機能を阻害しない。【選択図】図１
0003230936.tif 000002
【実用新案登録請求の範囲】
【請求項１】
ベルトに設けたカンを用いて全体の長さを調整する構造の本体ベルトと、
当該本体ベルトの一端に連結したショックアブソーバと、
前記本体ベルトを収納する筒状部、前記ショックアブソーバを包むようにカバーする平面部を有すると共に、前記平面部は、所定の外力で連結状態が解除される連結手段によりその端縁どうしが連結することで前記ショックアブソーバをカバーすることを特徴とするランヤード。
【請求項２】
前記連結手段は、ホック又は面テープであることを特徴とする請求項１に記載のランヤード。
【考案の詳細な説明】
【技術分野】
【０００１】
本考案は、災害・防災の時や電気工事等の高所作業に用いるランヤードに関するものである。
【背景技術】
【０００２】
従来から、特許文献１に記載されているようなランヤードが知られている。このランヤードは、カバーに特徴があり、ランヤードのストラップを弛み状態で収容すると共に当該ストラップの弛み状態から延びるにあたり、それに追従して弾発的に伸長する伸縮性材料から成るランヤード収容部を有し、ランヤード収容部の両端部に設けられてランヤード収容部をランヤードの両端側の夫々に解除自在に連結する連結手段を備えた構成である。
【０００３】
上記構成により、無負荷時のランヤードの長さを短くして垂れ下がりを少なくすることができる。
【先行技術文献】
【特許文献】
【０００４】
【特許文献１】特開２０１６−１０６６９５号公報
【考案の概要】
【考案が解決しようとする課題】
【０００５】
ランヤードには、ショックアブソーバが設けられているものがあり、このショックアブソーバが損傷すると緊急時に機能しないおそれがある。これに対し、上記従来のランヤードのカバー構造ではショックアブソーバの保護に対する対策がなされていなかった。本考案は、係る問題点を解決するためになされたものである。
【課題を解決するための手段】
【０００６】
本考案に係るランヤードは、ベルトに設けたカンを用いて全体の長さを調整する構造のベルト本体と、当該ベルト本体の一端に連結したショックアブソーバと、前記ベルト本体を収納する筒状部、前記ショックアブソーバを包むようにカバーする平面部を有すると共に、前記平面部は、所定の外力で連結状態が解除される連結手段によりその端縁どうしが連結することで前記ショックアブソーバをカバーすることを特徴とする。前記連結手段は、ホック又は面テープとするのが好ましい。
【図面の簡単な説明】
【０００７】
【図１】本考案の実施の形態に係るランヤードを示す構成図である。
【図２】カバーを外した状態のランヤードを示す構成図である。
【図３】本体ベルトの伸縮構造を示す説明図である。
【図４】本体ベルト及びショックアブソーバを保護するカバーを示す説明図である。
【考案を実施するための形態】
【０００８】
図１は、本考案の実施の形態に係るランヤードを示す構成図である。このランヤード１００は、長さ調整部２を有する本体ベルト１と、本体ベルト１の一端に設けたショックアブソーバ３と、本体ベルト１及びショックアブソーバ３を保護するカバー４とを有する。図１中、ショックアブソーバ３はカバー４内にあるため点線で示す。
【０００９】
図２は、カバー４を外した状態のランヤード１００を示す構成図である。本体ベルト１の両端は環状となり、一端には前記ショックアブソーバ３が設けられ、他端にはフック（カラビナ等も含む。以下同じ）５が設けられる。前記ショックアブソーバ３の両端は環状となりその一端が前記本体ベルト１の環状部分と連結し、他端にはフック５が設けられる。フック５は、ユーザが作業中に任意の構造物に連結すると共にもう一方をユーザの体に取り付けるためのものである。
【００１０】
本体ベルト１は、図３に示すように、日カン６により調整可能で任意の位置で固定できる。具体的には、日カン６の中央の棒にベルトの一端を固定し、このベルトの他端は長く伸びて前記ショックアブソーバ３の環状部分に挿通されて折り返され、続いて日カン６の一つの環状部分に他端を挿通し、更にもう一つの環状部分に当該他端を挿通する。そして、他端には環状部分を形成する。この環状部分にフック５が装着される。
【００１１】
上記構成により本体ベルト１の長さを調整可能とすることで現場で最適な長さに調整できる。長すぎると地面に落下してしまい、短いと作業が行いにくいことから、ユーザが現場で最適な長さに調整する。日カン６でしっかりと長さを調整するため、落下の際に伸びることがない。更に、作業エリアに適した長さとすることで作業の邪魔にならず且つランヤード１００に引っ掛かるのを防止できる。
【００１２】
ショックアブソーバ３は、ベルトを複数層に折り重ねてその状態でベルトを所定の糸で縫い合わせる。ベルトの一端は前記本体ベルト１に連結し、他端にはフック５が装着される。また、当該ベルトをビニール等の薄手の外皮材で包むようにしても良い。糸で縫い合わせることで所定の外力が加わった際、糸が切れてベルトの折り重ねが解かれてベルトが伸びる。この動作により衝撃を緩衝する。
【００１３】
図４は、本体ベルト及びショックアブソーバを保護するカバーを示す説明図であり、(ａ)に表面、（ｂ）に裏面を示す。当該カバー４は、本体ベルト１を挿通する筒状部４１と、ショックアブソーバ３を包むための平面部４２とから構成される。平面部４２は、略矩形であり横幅はショックアブソーバ３を包むのに十分なる寸法とする。横端縁には、ベルト体が２つ設けられその先端にホック４３が設けられる。このホック４３は、対向する横端縁にも設けられる。更に、前記横端縁及びこれに対向する横端縁には面ファスナー４４が設けられる。
【００１４】
装着状態では、本体ベルト１は筒状部４１の内部に配置される。これにより、本体ベルト１が作業現場等で鋭利な部位に引っ掛けたり、角でこすれたりするのを防止できる。このため、本体ベルト１に傷がつくことが防止されるので、落下の際に本体ベルト１が切れることがなく、安全性を維持できる。係る使用目的のため、カバー４の素材は厚手の丈夫な素材、好ましくは耐火性、耐摩耗性の高い素材を用いるのが好ましい。
【００１５】
次に、ショックアブソーバ３は平面部４２に包まれ且つ前記ホック４３により横端縁どうしを連結して包んだ状態を保持する。ホック４３により連結することで通常の使用状態で平面部４２が外れてしまうことはない。その一方、落下時には強い力が加わったとしても４３が外れるため、ショックアブソーバ３の機能を阻害することがない。
【００１６】
平面部４２のホック４３は、通常使用の状態では外れず且つ落下時の強い力が加わった際にショックアブソーバ３の機能を阻害しない連結手段として好適である。このホック４３の他、当該機能を奏する強度を備えた糸による結合でも良い。
【００１７】
ランヤード１００を使用する際は、本体ベルト１をカバー４の筒状部４１をずらして露出させ、日カン６で全体の長さを調整し、再びカバー４を本体ベルト１にかける。この状態で現場で使用する。カバー４があることから本体ベルト１が損傷することがない。また、雨が降っても日カン６が濡れないので、ベルトが滑って長さが変わってしまうことがない。更に、上記の通り、カバー４によりショックアブソーバ３が保護されているので、損傷を防止できると共に落下時のショックアブソーバ３の機能を阻害しない。
【００１８】
カバー４の素材は、具体的には、アラミド繊維による織布が好ましい。また、本体ベルト１が一般的に黒いことから、カバー４を赤色に着色することでカバー４がかかっているか確認しやすくなる。
【符号の説明】
【００１９】
１００  ランヤード
１  本体ベルト
２  長さ調整部
３  ショックアブソーバ
４  カバー
【図１】
0003230936.tif 000003
【図２】
0003230936.tif 000004
【図３】
0003230936.tif 000005
【図４】
0003230936.tif 000006
【手続補正書】
【提出日】令和3年1月4日(2021.1.4)
【手続補正１】
【補正対象書類名】実用新案登録請求の範囲
【補正対象項目名】全文
【補正方法】変更
【補正の内容】
【実用新案登録請求の範囲】
【請求項１】
ベルトに設けたカンを用いて全体の長さを調整する構造の本体ベルトと、
当該本体ベルトの一端に連結したショックアブソーバと、
前記本体ベルトを収納する筒状部、前記ショックアブソーバを包むようにカバーする平面部を有すると共に、前記平面部は、所定の外力で連結状態が解除される連結手段によりその端縁どうしが連結されて前記ショックアブソーバがカバーされていることを特徴とするランヤード。
【請求項２】
前記連結手段は、ホック又は面テープであることを特徴とする請求項１に記載のランヤード。